(57)【特許請求の範囲】
【請求項１】
基板と、
前記基板に接続されるばね二重接点組立体と、を含む電池ホルダーであって、前記ばね二重接点組立体が、
前記電池ホルダーに配置された電池の正極端子を前記ばね二重接点組立体方向の前記正極端子と接触するように構成される正極接点と、
前記電池ホルダーに配置された電池の負極端子を前記ばね二重接点組立体方向の前記負極端子と接触するように構成される負極接点と、
前記正極接点及び前記負極接点に接続され、前記正極接点及び前記負極接点が相互に固定した関係を維持するように構成される絶縁体と、
前記負極接点、前記正極接点、及び前記絶縁体を前記基板と弾性的に変位可能な関係を維持する複数のカンチレバーワイヤーばねであって、それぞれが前記正極接点及び前記負極接点の１つをも形成するものと、を含み、
前記負極接点が、オフセットしたワイヤーの湾曲を介し、前記絶縁体上の機械的保持接合部と接合し、
前記絶縁体上の機械的保持接合部が、前記オフセットしたワイヤーの湾曲に隣接する前記負極接点上に伸びるように構成される１つ以上の突起を含み、
前記正極接点が、前記絶縁体の開口部を介し伸びている固定部を含んでいて、前記絶縁体上の機械的保持接合部内の固定機構とかみ合い、
更に、非ばね二重接点組立体を含んでいて、前記ばね二重接点組立体及び前記非ばね二重接点組立体のうち１つ以上が、長く角度のあるワイヤー部分を介して前記基板に接続されることを特徴とする電池ホルダー。
【請求項２】
前記非ばね二重接点組立体が、正極のワイヤー接点及び負極のワイヤー接点を含むことを特徴とする請求項１記載の電池ホルダー。
【請求項３】
基板と、
前記基板に接続される第１の非ばね二重接点組立体と、
前記基板に接続される第２の非ばね二重接点組立体と、を含む電池ホルダーであって、前記第１の非ばね二重接点組立体及び前記第２の非ばね二重接点組立体それぞれが、
電池の正極端子に接触するように構成される正極接点と、
電池の負極端子に接触するように構成される負極接点と、
前記正極接点及び前記負極接点に接続されていて、前記正極接点及び前記負極接点が相互に固定した位置関係を維持するように構成される絶縁体であって、１つ以上の開口部を含み、その中へ前記正極接点及び負極接点の固定部が伸びているものを含み、
前記第１及び第２の非ばね二重接点組立体のうちの１つ以上が、長く角度のあるワイヤー部分を介し前記基板に接続されることを特徴とする電池ホルダー。
【請求項４】
前記第１の非ばね二重接点組立体及び前記第２の非ばね二重接点組立体のうち１つ以上が、ワイヤー接点を含むことを特徴とする請求項３記載の電池ホルダー。
【請求項５】
前記第１の非ばね二重接点組立体及び前記第２の非ばね二重接点組立体のうち１つ以上が、打ち抜き金属接点を含むことを特徴とする請求項３記載の電池ホルダー。
【発明の詳細な説明】
【技術分野】
【０００１】
本発明は、電気回路装置に関し、具体的には電池ホルダーに関する。
【背景技術】
【０００２】
取替可能又は再充電可能な電池によって起動される装置は、一般に、電池を保持しており、電池と電気接触するように構成される１つ以上の電池ホルダーを含む。そのような装置における電池の適切な取り付けは、一般に、正しい電気極性に対し適切な電池方向を示す記述又は図式的な指示の使用を介し達成される。ユーザーは、多くの場合、そのような指示に正しく従うが、時には、図式的な指示が、製品筺体の中に直接か若しくはその一部として成形され得るとき、又は指示が小さいか若しくは読むことが難しいラベル上に印刷され得るとき、それを見ることは困難であり得る。結果として、ユーザーは時々、電池を逆の電気極性で間違って取り付け得る。
【０００３】
電池を逆の極性で取り付けることは、電池に関する問題及び製品の損傷をもたらし得る。最善の場合でも製品は絶対に機能し得ない。更に悪い場合、電池に余分な負荷がかかり、液漏れし得、電子機器装置の永久的な損傷をもたらし得、安全性の問題も導き得る。
【発明の概要】
【発明が解決しようとする課題】
【０００４】
本発明の目的は、電池ホルダーが利用される回路装置に対し、適切な電気極性を提供し逆の電気極性を有する電池の取り付けを実質的に解消する電池ホルダーを提供することである。
【課題を解決するための手段】
【０００５】
二重接点組立体を用いた電池ホルダーの様々な実施形態を本明細書に記載する。開示した一実施形態は、基板及びばね二重接点組立体を有する電池ホルダーを含んでいて、前記ばね二重接点組立体は、電池ホルダーに配置された電池の正極端子をばね二重接点組立体方向の正極端子に接触するように構成される正極接点と、電池ホルダーに配置された電池の負極端子をばね二重接点組立体方向の負極端子に接触するように構成される負極接点と、を含む。正極接点及び負極接点は、正極接点及び負極接点が相互に固定した関係を維持するように構成される絶縁体に接続される。更に、１つ以上の片持ち梁（カンチレバー）ワイヤーばねが、負極接点、正極接点、及び絶縁体を基板と弾性的に変位可能な関係に維持する。
【０００６】
この「課題を解決するための手段」は、以下「発明を実施するための形態」において更に記載されているいくつかの概念を簡易化された形式で紹介するために提供される。この「課題を解決するための手段」は、請求項記載対象の重要な機能又は本質的な特徴を識別するように意図されておらず、請求項に記載した対象の範囲を制限するように使用されることも意図されていない。更に、請求項記載対象は、この開示の任意の一部に記述されている不利な点のいくつか又はすべてを解決する実装に限定されない。
【図面の簡単な説明】
【０００７】
【図１】本開示の一実施形態による並列した二重接点電池ホルダーを示す。
【図２】図１の非ばね二重接点組立体及びばね二重接点組立体の実施形態の正極接点及び負極接点を示す。
【図３】図１のばね二重接点組立体の実施形態の正面図を示す。
【図４】図１のばね二重接点組立体の実施形態の背面図を示す。
【図５】図１の非ばね二重接点組立体の実施形態の正面図を示す。
【図６】図１の非ばね二重接点組立体の実施形態の背面図を示す。
【図７】本開示による別のばね二重接点組立体の実施形態の正面図を示す。
【図８】本開示による別のばね二重接点組立体の実施形態の正面図を示す。
【図９】本開示による別の非ばね二重接点組立体の実施形態を示す。
【図１０】２つの非ばね二重接点組立体を含む並列した電池ホルダーそれぞれの実施形態を示す。
【発明を実施するための形態】
【０００８】
開示した実施形態は、電池ホルダーが二者択一の構成で電池を取り付けることを可能にすると同時に、電池ホルダーが利用される回路装置に対し、どちらの構成であっても適切な電気極性を提供するという点において、電池の逆極性の取り付けを実質的に解消する電池ホルダーを提供する。更に、開示した実施形態は、製造が簡単で、正確に製造することが困難な部品に対し、比較的にゆるやかな許容範囲を可能にし得る。例示的ないくつかの電池ホルダーが本明細書に示され記載されているが、以下の図面及び説明が例示のためであって、どのような方法においても限定を意図していないことを理解すべきである。
【０００９】
図１は、第１の電池ホルダー（１０２）及び第２の電池ホルダー（１０４）を含む複数電池ホルダー（１００）の実施形態を示していて、図２は、第１の電池ホルダー（１０２）の導電性部分の図を示している。電池ホルダーの様々な構造及び特徴が、（以下、「電池ホルダー（１０２）」として参照される）第１の電池ホルダー（１０２）の文脈で以下に記載されているが、本説明が第２の電池ホルダー（１０４）にも適用されることを十分に理解されよう。電池ホルダー（１０２）は、プリント基板のような基板（１１０）に組み込まれるばね二重接点組立体（１０６）及び非ばね二重接点組立体（１０８）を含む。電池が電池ホルダー（１０２）に配置されるときのばね二重接点組立体（１０６）の圧縮した構成が、図１の実線に示されていて、一方、電池が電池ホルダー（１０２）に配置されないときの伸張した構成が、破線によって示されている。
【００１０】
ばね二重接点組立体（１０６）が、電池ホルダー（１０２）に配置された電池にばねの力を加えるために、基板に対し弾性的に変位可能に構成される。ばねの力が、複数のカンチレバーワイヤーばね（１１２）、（１１４）、（１１６）及び（１１８）によってばね二重接点組立体（１０６）に与えられる。電池ホルダー（１０２）に取り付けられた電池に対し、カンチレバーワイヤーばね（１１２）、（１１４）、（１１６）、及び（１１８）によって与えられるばねの力は、二重接点組立体（１０６）、（１０８）双方がホルダー内に配置される電池との電気的接触を維持することを保証する支援をする。更に、ばねの力は、電池が電池ホルダーから滑り出すことを防止する支援もする。ばねの力は、カンチレバーワイヤーばね（１１２）、（１１４）、（１１６）、及び（１１８）によって加えられ得、ワイヤー寸法、ワイヤー材料、及びカンチレバーの角度の選択によって制御され得る。
【００１１】
（１１２）、（１１４）、（１１６）、及び（１１８）に示されるようなカンチレバーワイヤーばねの使用は、ワイヤーばねの別の設計上の利点を提供し得る。例えば、コイルワイヤーばねは、一般に、ホルダー内の電池との正常な電気接続を保証し、ホルダー内に電池を保持するための電池ホルダーの中で使用される。普通の単一接点の電池接点組立体を用いると、空間の制約が比較的にゆるいので、そのようなコイルばねの設計は、比較的に簡単であり得る。例えば、普通の電池ホルダー内のコイルばねは、１／４インチ以上の運動空間を有し得、幾何学的に見て比較的にゆるいばねの設計が使用され得る。しかしながら、二重接点組立体を用いると、正極接点及び負極接点の近接が、ばね運動のための、より少ない約１／８インチオーダーの空間しか可能にし得ない。そのような小さい空間に対する幾何学的に十分な剛性のあるコイルばねの製造は、非常に軽いワイヤー寸法又は非常に柔軟性のある材料のどちらを使用しても困難である。それと比較すると、コイルの代わりにばねの力を与えるための単一の湾曲を利用するカンチレバーばねの製造は、ばねが所望の任意のワイヤーの材料又はワイヤー寸法から作られることを可能にし、それによって製造の選択肢を増やす。更に、それは、コイルばねと比べて、より少ないワイヤー材料が使用されることを可能にし、それによって、材料コストを削減する。別のばね二重接点組立体の機能を以下により詳細に説明する。
【００１２】
図１を用いて続けると、非ばね二重接点組立体（１０８）は、非ばね二重接点組立体（１０８）を基板（１１０）に接続する長く角度のあるワイヤー部分（１２０）を含む。長く角度のあるワイヤー部分（１２０）の使用は、基板（１１０）をより小さくすることを可能にし、したがって、より大きい基板を利用する別の構成と比べて製造コストをより小さくし得る。基板から（図１に示される電池ホルダー（１０２）の方向を参照している）上方に直接伸びているばね二重接点組立体（１０６）が示されていて、長く角度のある配線部分（１２０）を有する非ばね二重接点組立体（１０８）が示されているが、どちらの二重接点組立体も本開示の範囲から逸脱せずにこれらの方法のどちらかによって基板に接続され得ることが理解されよう。
【００１３】
図２は、導電性電池ホルダー（１０２）の構造を示している。この図の中のばね二重接点組立体（１０６）及び非ばね二重接点組立体（１０８）においては、接点を切り離す絶縁体は明確化のために省略されている。まずばね二重接点組立体（１０６）が、連続した２つのワイヤーを含むことを確認され得る。アウターワイヤー（２００）が、負極接点（２０２）及びカンチレバーばね（１１２）、（１１４）を形成すると同時にインナーワイヤー（２０４）が、正極接点（２０６）及びカンチレバーばね（１１６）、（１１８）を形成する。したがって、ばねの力を与えるカンチレバーばね（１１２）、（１１４）、（１１６）、（１１８）が、ホルダー内の電池の双方向の電流も伝導する。
【００１４】
同様に、アウターワイヤー（２１０）が負極接点（２１２）を形成していて、インナーワイヤー（２１４）が正極接点（２１６）を形成していて、非ばね二重接点組立体（１０８）が２つのワイヤーを含んでいることも確認され得る。示したインナーワイヤー（２１４）の実施形態は、別のワイヤーのような基板（１１０）と閉じた「Ｕ」の形を形成せず、その代わり、以下に説明する離れた正極接点及び負極接点を絶縁体上で保持している補助構造に接続するように構成される解放端（２１８）で終端している。別の実施形態においては、インナーワイヤー（２１４）は、インナーワイヤーが接点の両側において基板（１１０）に接続している、閉じた「Ｕ」の形を有し得る。
【００１５】
示した実施形態において、アウターワイヤー（２１０）は、非ばね二重接点組立体（１０８）のインナーワイヤー（２１４）と異なる寸法を有している。しかしながら、別の実施形態において、非ばね二重接点組立体（１０８）のアウターワイヤー（２１０）及びインナーワイヤー（２１４）は、同一の寸法を有し得る。同様に、ばね二重接点組立体（１０６）のアウターワイヤー（２００）及びインナーワイヤー（２０４）は、同一の寸法を有するように示されているが、別の実施形態においては、所望の機械的特性及び電気的特性に従った異なる寸法を有し得る。
【００１６】
図２において、電池ホルダー（１０２）のワイヤー（２００）、（２０４）、（２１０）、及び（２１４）それぞれが、コイルばねと比べて比較的小さい、十分に離れて区切られた曲がりである湾曲を有していることを確認され得る。例えば、ばね二重接点組立体（１０６）のアウターワイヤー（２００）は、カンチレバーばね（１１２）、（１１４）、接点が意図した電池端子だけに接続するように適切に配置される、正極接点から負極接点（２０２）をオフセットするためのオフセットしたワイヤー湾曲の組（２２０）、（２２２）を形成する湾曲したばねの組と、正極電池端子との接触を回避すると同時に電池の負極に接触するような負極接点を形成するより大きな半径の湾曲（２２４）を含んでいる。その他のワイヤーは、同様の少数の湾曲を有している。
【００１７】
いくらかのコイルばねの設計にあるように、より少ない湾曲数のワイヤー及び／又はより少ない湾曲度のワイヤーの使用は、より複雑なばねの設計に対する製造を容易にし、したがって製造コストをより小さくし得る。更に、以下に説明するように、示したワイヤーは、絶縁体上に形成される構造にワイヤーをかみ合わせるだけで絶縁体に接続されるように構成される。これは、ワイヤーのステークの熱処理、絶縁体上の構造の周囲の固定、湾曲、又は圧接のような製造段階などを回避可能とし、それによって、更に製造コストを低減することを支援し得る。
【００１８】
図３及び図４は、ばね二重接点組立体（１０６）を更に詳細に示している。前述したように、正極接点（２０６）及び負極接点（２０２）は、双方の接点が接続される絶縁体（３００）によって、切り離される。絶縁体（３００）は、正極接点（２０６）及び負極接点（２０２）が相互に固定した関係を維持するように構成され、正極接点（２０６）及び負極接点（２０２）の接触を防ぐ。更に、これらの図面は、アウターワイヤー（２００）及びインナーワイヤー（２０４）を絶縁体（３００）上にかみ合わせ得る絶縁体（３００）上の様々な構造を示している。これらの構造は、総称して「機械的保持接合部」として参照され得る。まずアウターワイヤー（２００）に関すると、絶縁体（３００）は、絶縁体のそれぞれの側面の突起（３０２）及び（３０４）を含んでいて、その間でアウターワイヤーは、隣接した湾曲（２２０）、（２２２）にかみ合っている。アウターワイヤー（２００）は、アウターワイヤー（２００）の側面を、アウターワイヤー（２００）の両側の間に絶縁体（３００）が適合するように十分に遠く引き開き、その後、ワイヤーの側面が突起（３０２）及び（３０４）の位置にかみ合わせ可能になるようにアウターワイヤーを解放することによって簡単にこれらの突起へかみ合わせられ得る。絶縁体（３００）は更に、負極接点（２０２）を形成する湾曲（２２４）曲面にかみ合うように構成される内縁（３０６）を含む。図５〜図７を参照し、以下に説明される固定機構を含むが限定しない付加機能が、機械的保持接合部に更なる構造安定性を提供するために利用され得ることも理解されたい。
【００１９】
絶縁体（３００）の機械的保持接合部は、インナーワイヤー（２０４）を組み込むように構成される内側の突起対（３０８）、（３０９）も含む。インナーワイヤー（２０４）は、インナーワイヤー（２０４）の側面を一緒に締め付け、絶縁体（３００）内部の適切な位置にインナーワイヤーを挿入し、その後、インナーワイヤーが突起（３０８）、（３０９）の下の場所にかみ合わせ可能なようにインナーワイヤー（２０４）の側面を開放することによって簡単に突起（３０８）、（３０９）に接合され得る。
【００２０】
絶縁体（３００）の機械的保持接合部は、アウターワイヤー（２００）及びインナーワイヤー（２０４）への絶縁体（３００）の安全な接続を可能にするための更なる構造を含み得る。まず、図３を参照すると、絶縁体（３００）は、窪み（ｒｅｃｅｓｓ）（３１０）を含んでいて、そこに正極接点（２０６）が配置される。窪み（３１０）は、窪みの側面に形成される開口部（３１２）を含んでいて、その中にインナーワイヤー（２０４）の末端部が輪の形をした接点固定部（３１４）が伸びている。次に図４を参照すると、絶縁体（３００）は、固定機構（４００）を含んでいて、その周囲にインナーワイヤー（２０４）の固定部（３１４）が伸びている。示した実施形態において、固定機構（４００）は、成形した周囲を有する絶縁体の突起を含んでいて、その中に正極接点（２０６）の固定部（３１４）が設置される。正極接点の固定部（３１４）は、固定部（３１４）を十分離れた開口部（３１２）に挿入することによって簡単に固定部（３１４）に接続され得、固定部（３１４）は、固定機構（４００）の周囲を輪で囲むようにして固定機構（４００）上でかみ合わされる。示した保持スキームが、例のために示されていることと、本開示の範囲から逸脱せずに適切な別の任意の保持スキームが使用できることと、を理解されたい。
【００２１】
前述したばね二重接点組立体（１０６）の機械的保持接合部の構造それぞれの組み合わせは、絶縁体（３００）を低価格かつ組み立て容易な方法によって負極接点（２０２）及び正極接点（２０６）上の適所で確実に保持する支援をする。更に、正確なプラスチック構造は、金属ワイヤーの湾曲よりも厳密な許容範囲を用いて製造することが簡単であり得る。したがって、絶縁体（３００）上の機械的保持接合部構造は、比較的に広い許容範囲内でワイヤー構成を受け入れるように設計され得る。これは、アウターワイヤー（２００）及びインナーワイヤー（２０４）を形成する低い精度の湾曲処理を使用可能にすることによって製造を単純化することも支援し得る。
【００２２】
次の図５及び図６は、非ばね二重接点組立体（１０８）を詳細に示している。ばね二重接点組立体（１０６）と同様に、非ばね二重接点組立体は、正極接点（２１６）と負極接点（２１２）とを切り離し、２つの接点を相互に固定した位置に維持する絶縁体（５００）を含む。更に、絶縁体（５００）は、絶縁体（５００）が簡単なスナップで取り付ける方法によって正極接点（２１６）及び負極接点（２１２）に取り付けられ得るように構成される構造を有する機械的保持接合部も含む。まず、アウターワイヤー（２１０）に関しては、絶縁体（５００）が、開口部（５０４）、（５０５）を有する突起（５０２）、（５０３）を含んでいて、それを介しアウターワイヤー（２１０）が、アウターワイヤー（２１０）のそれぞれの側から引き開き、絶縁体（５００）を適切に配置し、その後、アウターワイヤー（２１０）の側面を開放することによって挿入され得る。これによってアウターワイヤー（２１０）が、開口部（５０４）、（５０５）を介し突起（５０２）、（５０３）の下でかみ合わせ可能になる。アウターワイヤー（２１０）は、接点が電池ホルダーの電池に対し適切に配置されるように、正極接点（２１６）に対し負極接点（２１２）をオフセットする、突起（５０２）、（５０３）の下にアウターワイヤー（２１０）を保持するための支援をするＳ字湾曲部（５０６）、（５０８）を含む。更に、絶縁体（５００）は、末端部が輪の形をしたアウターワイヤー（２１０）を固定機構（５１２）に組み込むための突起形式の更なる固定機構（５１０）も含む。
【００２３】
示した実施形態において、アウターワイヤー（２１０）は、突起（５０２）、（５０３）、及び（５１０）を組み込むために負極接点（２１２）平面から曲げられ、したがって突起位置において電池に接触しない。しかしながら、比較的小さな突起の数及び大きさのために比較的大きな接点領域が、負極接点（２１２）と電池ホルダーに配置される電池との間に存在し、電池と負極接点（２１２）との間の正常な電気的接触を保証することを支援する。
【００２４】
図面５及び図６を用いて続けると、絶縁体（５００）は、内側の突起対（５２０）、（５２１）も含んでいて、その後方において正極接点（２１６）の側面が保持される。正極接点は、正極接点（２１６）の側面を一緒に締め付け、絶縁体（５００）に対し正極接点（２１６）を適切に配置し、その後、正極接点を突起（５２０）、（５２１）の下でかみ合わせ可能にするために正極接点の側面を開放することによって、突起（５２０）、（５２１）の後方に取り付けられ得る。更に、絶縁体（５００）は、（５２２）に示される位置に開口部も含んでいて、その内部で正極接点（２１６）の輪が正極接点（２１６）を固定するために絶縁体に伸びている。実施形態の中には、図４の（４００）に示されるような固定機構が、開口部（５２２）に配置され得るものもあるが、別の実施形態はそのような機能を省略し得る。
【００２５】
前述した非ばね二重接点組立体の機械的保持接合部（１０８）の構造それぞれの組み合わせが、単純でかみ合った二重接点組立体の組立体（１０８）を可能にする。更に、正確なプラスチック構造は、金属ワイヤーを曲げる精度よりも製造がより簡単であり得るので、絶縁体（５００）上の機械的保持接合部構造は、比較的広い許容範囲内でワイヤー構成を受け入れるように設計され得る。これによって低精度の湾曲処理の使用が、アウターワイヤー（２１０）及びインナーワイヤー（２１４）を形成可能にし、費用の節約を増やす。
【００２６】
図７は、別のばね二重接点組立体（７００）の実施形態を示している。ワイヤー接点の代わりにばね二重接点組立体（７００）は、打ち抜き金属などから加工された概して平面状の正極接点（７０２）及び概して平面状の負極接点（７０４）を含む。ばねの力が、正極接点（７０２）及び負極接点（７０４）を形成する金属片に湾曲を介し与えられる。ばね二重接点組立体（７００）は、正極接点（７０２）と負極接点（７０４）との間に配置される絶縁体（７０６）も含む。絶縁体（７０６）は、正極接点（７０２）を収容し、正極接点（７０２）と負極接点（７０４）との間に所望のオフセットの提供を支援する窪み（７０８）を含む。更に、絶縁体（７０６）は、窪み（７０８）の側面に形成される１つ以上の開口部も含み得る。示した実施形態において、３つの開口部（７１０）、（７１２）、（７１４）が示されているが、適切な任意の数の開口部が提供され得ることを理解されよう。開口部（７１０）、（７１２）、（７１４）は、窪み（７０８）内部に正極接点（７０２）を保持するための正極接点（７０２）の縁から伸びている留め金ピン、タブ、ロッド、ピン、又はその他の適切な任意の構造など補足的な３つの固定部（７２０）、（７２２）、（７２４）を収容する。これは、正極接点（７０２）を開口部（７１０）、（７１２）、（７１４）の中にかみ合わせることによって正極接点を窪み（７０８）に取り付けることを可能にし、それによって、ステークの熱処理、絶縁体上の突起の周囲の正極接点における金属翼を折り曲げるような追加の製造段階などを回避する支援をし得る。負極接点（７０４）が、熱処理したステーク（７３０）を介し、絶縁体に保持されるように示されているが、スナップで取り付ける方式と同様の機構も負極接点（７０４）及び絶縁体（７０６）の適切な設計によって負極接点（７０４）に提供され得ることも理解されよう。示した実施形態においては、固定部それぞれが別の正極接点（７０２）の側に配置される。しかしながら固定部は、別の適切な任意の構成を有し得ることが十分に理解されよう。更に、また別の実施形態において、絶縁体（７０６）は、正極接点（７０２）及び負極接点（７０４）上の開口部の中へ前述したものと同様の方法で伸びているように構成される突起を含み得る。
【００２７】
実施形態の中には、正極接点（７０２）の１つ以上の固定部（７２０）、（７２２）、（７２４）が、適切な開口部（７１０）、（７１２）、（７１４）内部に配置される固定部の一部（７４２）を組み込むように構成される開口部（７４０）を含み得るものもある。これは、絶縁体（７０６）の正極接点（７０２）の接続安定性を増大する支援をし得る。更に、より安定した接続が要求される実施形態の中には、図７に示されている固定部／開口部の構成が、正極接点を絶縁体（７０６）に確実に保持するように（示されていない）１つ以上の熱処理したステーク（ｈｅａｔ  ｓｔａｋｅｓ）と組み合わせて使用され得るものもある。そのような実施形態において、固定部／開口部の構成は、熱処理したステーク単独の使用に対する設計に更なる構造安定性を提供し得る。
【００２８】
更に、図８に示したように、負極接点（８００）は、絶縁体（８１０）上の開口部（８０６）、（８０８）の中に伸びるように構成される固定部（８０２）、（８０４）も含み得る。示した実施形態において、絶縁体（８１０）は、固定部（８０２）、（８０４）を収容するための、固定部（８０２）、（８０４）を覆うように伸びている延長部（８１２）、（８１４）を含む。しかしながら、絶縁体（８１０）が固定部（８０２）、（８０４）を収容するための適切な別の任意の構造を含み得ることを十分に理解されよう。更に、２つの固定部（８０２）、（８０４）が負極接点（８００）側の一部に配置されるように示されているが、適切な任意の数の固定部が負極接点上の適切な任意の場所に配置され得ることを十分に理解されよう。
【００２９】
図面を用いて続けると、図９は、概して平面状の正極接点（９０２）及び概して平面状の負極接点（９０４）を有する非ばね二重接点組立体（９００）の実施形態を示している。前述したように、正極接点（９０２）及び負極接点（９０４）は、それぞれ、打ち抜き金属材料などから作られ得る。非ばね二重接点組立体（９００）は、正極接点（９０２）と負極接点（９０４）との間に配置される絶縁体（９０６）も含む。図７及び図８の実施形態と対照的に、非ばね二重接点組立体（９００）は、 正極接点（９０２）及び負極接点（９０４）において、ばねの力を与える湾曲がない。絶縁体（９０６）は、正極接点（９０２）を収容し、正極接点（９０２）と負極接点（９０４）との間に所望のオフセットを提供する支援をする窪み（９０８）を含む。
【００３０】
更に、絶縁体（９０６）は、窪み（９０８）の側で形成される１つ以上の開口部も含む。示した実施形態において３つの開口部（９１０）、（９１２）、（９１４）が示されているが、適切な任意の数の開口部が提供され得ることを理解されよう。開口部（９１０）、（９１２）、（９１４）は、窪み（９０８）の内部に正極接点（９０２）を保持するための正極接点（９０２）の縁から伸びる留め金ピン、タブ、ロッド、ピン、又はその他の適切な任意の構造のような補足的な３つの固定部を収容する。これによって正極接点は、開口部（９１０）、（９１２）、（９１４）の中に正極接点（９０２）をかみ合わせることによって、窪み（９０８）に取り付けられ得、それによってステークの熱処理、絶縁体上の突起の周囲の正極接点に対する金属翼の折り曲げのような追加の製造段階を回避する支援をし得る。負極接点（９０４）は、熱処理したステーク（９３０）を介し絶縁体に保持されるように示されているが、スナップで取り付ける方式と同様の機構も負極接点（９０４）及び絶縁体（９０６）の適切な設計によって負極接点（９０４）に提供され得ることが理解されよう。示した実施形態において、固定部それぞれが、別の正極接点（９０２）の側に配置される。しかしながら、固定部が適切な別の任意の構成を有し得ることを十分に理解されよう。
【００３１】
本明細書に記載した様々な実施形態は、１つのばね二重接点組立体及び１つの非ばね二重接点組立体を含む。しかしながら、電池ホルダーの別の実施形態は、２つのばね二重接点組立体又は２つの非ばね二重接点組立体を含み得る。例えば、図１を参照すると、２つのばね二重接点組立体を有する実施形態は、非ばね二重接点組立体（１０８）の代わりにばね二重接点組立体（１０６）を有し得、電池ホルダーが、向かい合ったばね二重接点組立体（１０６）を有する。同様に図７又は図８の実施形態も、２つのばね二重接点組立体を用いた電池ホルダーにおいて利用され得る。
【００３２】
電池ホルダーは、２つの非ばね二重接点組立体も含み得る。図１０は、２つの非ばね二重接点組立体を含む電池ホルダー（１０００）の例を示している。この実施形態において、１つの非ばね二重接点組立体（１００２）は、基板（１００４）を比較的に短いワイヤー部分（１００６）に接続されるワイヤー接点組立体を含むと同時に、別の非ばね二重接点組立体（１００８）は、基板（１００４）を長く角度のあるワイヤー部分（１０１０）に接続されるワイヤー接点組立体を含む。これによって、基板の大きさは、基板（１００４）に対する、より短い接続を用いた２つの非ばね二重接点組立体（１００２）の使用に減少され得る。別の実施形態において、より短いか又はより長いどちらか一方の接点それぞれは、基板（１００４）に対する同様の接続を有する。図１０の実施形態の特定の構成が例のために示されていて、いずれかの方法に制限することを意図していないことを十分に理解されよう。
【００３３】
本明細書に記載した構成及び／又はアプローチは、実質上、例示的であって、これら特定の実施形態又は例は、多くの変更があり得るので、限定する意味に考慮されていないことが理解されよう。本開示の対象課題は、本明細書に開示した様々なプロセス、システム、及び構成すべての新規性、自明ではない組み合わせ、及び一部の組み合わせ、並びにその他の特徴、機能、動作、及び／又は特性と同様にその同等物のいくつか及びすべてを含む。
【符号の説明】
【００３４】
１００  複数電池ホルダー
１０２  第１の電池ホルダー
１０４  第２の電池ホルダー
１０６  ばね二重接点組立体
１０８  非ばね二重接点組立体
１１０  基板
１１２  カンチレバーワイヤーばね
１１４  カンチレバーワイヤーばね
１１６  カンチレバーワイヤーばね
１１８  カンチレバーワイヤーばね
１２０  ワイヤー部分
２００  アウターワイヤー
２０２  負極接点
２０４  インナーワイヤー
２０６  インナーワイヤー
２１０  アウターワイヤー
２１２  負極接点
２１４  インナーワイヤー
２１６  正極接点
２１８  解放端
２２０  オフセットしたワイヤー湾曲の組
２２２  オフセットしたワイヤー湾曲の組
２２４  大きな半径の湾曲
３００  絶縁体
３０２  突起
３０４  突起
３０６  内縁
３０８  内側の突起対
３０９  内側の突起対
３１０  窪み
３１２  開口部
４００  固定機構
５００  絶縁体
５０２  突起
５０３  突起
５０４  開口部
５０５  開口部
５０６  Ｓ字湾曲部
５０８  Ｓ字湾曲部
５１０  突起
５１２  固定機構
５２０  内側の突起対
５２１  内側の突起対
５２２  開口部
７００  ばね二重接点組立体
７０２  平面状の正極接点
７０４  平面状の負極接点
７０６  絶縁体
７０８  窪み
７１０  開口部
７１２  開口部
７１４  開口部
７２０  固定部
７２２  固定部
７２４  固定部
７３０  熱処理したステーク
７４０  開口部
７４２  固定部の一部
８００  負極接点
８０２  固定部
８０４  固定部
８０６  開口部
８０８  開口部
８１０  絶縁体
８１２  延長部
８１４  延長部
９００  非ばね二重接点組立体
９０２  平面状の正極接点
９０４  平面状の負極接点
９０６  絶縁体
９０８  窪み
９１０  開口部
９１２  開口部
９１４  開口部
９３０  熱処理したステーク
１０００  電池ホルダー
１００２  非ばね二重接点組立体
１００４  基板
１００６  ワイヤー部分
１００８  非ばね二重接点組立体
１０１０  長く角度のあるワイヤー部分
【図１】
0005588349.tif 000002
【図２】
0005588349.tif 000003
【図３】
0005588349.tif 000004
【図４】
0005588349.tif 000005
【図５】
0005588349.tif 000006
【図６】
0005588349.tif 000007
【図７】
0005588349.tif 000008
【図８】
0005588349.tif 000009
【図９】
0005588349.tif 000010
【図１０】
0005588349.tif 000011